(57)【要約】【課題】積層した状態で使用してもディスク状の情報記録媒体の品質を維持する。【解決手段】ディスク状の情報記録媒体は、所定の厚みを有する基板１０１および基板１０２を貼り合わせた構成を有し、一方の面に記録領域を含む成膜領域１０７、クランプ領域１０５とリブ１０３を有し、他方の面に記録領域を含む成膜領域１０８、クランプ領域１０６とリブ１０４を有し、両面ともに、内周側から外周側に沿って、リブ、クランプ領域、成膜領域の順番に形成されている。【選択図】図１０
2015158965.tif 000002
【特許請求の範囲】
【請求項１】
ディスク状の情報記録媒体であって、
所定の厚みを有する基板、
前記基板の一方の面である第１面、
前記基板の他方の面である第２面、
前記基板の中央を貫通する貫通孔を形成した円筒部、
前記第１面側に第１の記録領域、
前記第２面側に第２の記録領域、
前記第１面側に形成され、前記第１の記録領域を再生する際にクランパが当接する第１のクランプ領域、
前記第２面側に形成され、前記第２の記録領域を再生する際にクランパが当接する第２のクランプ領域、
前記第１のクランプ領域より内周側の前記第１面側に形成された円環状の第１のリブ、
前記第２のクランプ領域より内周側の前記第２面側に形成された円環状の第２のリブ、および
前記第１のリブと前記第１の記録領域の間に形成される第１の印字領域、
を備える、情報記録媒体。
【請求項２】
さらに、前記円筒部の外径を囲むようにして形成され、前記所定の厚みよりも薄く形成された肉薄部を有し、
前記肉薄部は、前記肉薄部に形成された非傾斜面と、前記肉薄部において前記非傾斜面の外径側に形成され前記非傾斜面に対し所定の角度で傾斜する傾斜面と、を含む、
請求項１に記載の情報記録媒体。
【請求項３】
前記第１の印字領域は、前記第１面上に形成された、
請求項１または２に記載の情報記録媒体。
【請求項４】
前記第１の印字領域は、前記第１面と前記第２面の間に形成された、
請求項１または２に記載の情報記録媒体。
【請求項５】
さらに、前記第２のリブと前記第２の記録領域の間に形成される第２の印字領域を備える、
請求項１から４のいずれかに記載の情報記録媒体。
【請求項６】
前記第２の印字領域は、前記第２面上に形成された、
請求項５に記載の情報記録媒体。
【請求項７】
前記第２の印字領域は、前記第１面と前記第２面の間に形成された、
請求項５に記載の情報記録媒体。
【請求項８】
前記円筒部の外径を囲むようにして形成され、前記所定の厚みよりも薄く形成された肉薄部を有し、
前記基板は、前記第１面側と前記第２面側とが対称である、
請求項１に記載の情報記録媒体。
【請求項９】
請求項１〜８のいずれかに記載の情報記録媒体を重ねた状態で格納するケース、を備えるディスクカートリッジ。
【請求項１０】
請求項９に記載のディスクカートリッジ、前記ディスクカートリッジより前記情報記録媒体を取り出す機構、取り出した前記情報記録媒体に対し情報の記録または再生を行う機構、および前記情報記録媒体に対する情報の記録または再生を制御する電気回路、を備える情報記録再生装置。
【発明の詳細な説明】
【技術分野】
【０００１】
本開示は、情報が記録される記録媒体、特にディスク状の記録媒体および複数のディスク状の記録媒体を積層して格納するディスクカートリッジに関する。
【背景技術】
【０００２】
光ディスクは、基板と、基板の中心部に貫通孔を形成した円筒部とからなる構造を有する。光ディスクには、例えば、円筒部の外径側に、図１８の断面図に示すように切欠部が形成されているものが知られている（例えば、特許文献１参照）。また、光ディスクには一方の面にラベル印字領域を有する光ディスクが知られている（例えば、特許文献２参照）。
【先行技術文献】
【特許文献】
【０００３】
【特許文献１】実開平１−１０３０２２号公報
【特許文献２】特開平５−１９８０１５号公報
【発明の概要】
【発明が解決しようとする課題】
【０００４】
近年、ストレージの大容量化に伴い、複数の光ディスクを積層して収納したディスクカートリッジを利用することが提案されている。しかし、光ディスクは上記のような構造のため、積層した状態で使用すると、ディスク同士の密着や埃等の異物の付着によりその品質を害する可能性がある。
また、ディスクの一面には記録領域である成膜領域の他に、記録再生時のクランプ領域、印字領域等複数種の領域が形成される場合があるが、成膜領域が他の領域の影響により劣化することもある。
【０００５】
本開示は、特に印字材料の成膜領域への進入による成膜領域の劣化を防止し得るディスク状の情報記録媒体を提供する。
【課題を解決するための手段】
【０００６】
本開示における情報記録媒体は、ディスク状の情報記録媒体であって、所定の厚みを有する基板、基板の一方の面である第１面、基板の他方の面である第２面、基板の中央を貫通する貫通孔を形成した円筒部、第１面側に第１の記録領域、第２面側に第２の記録領域、第１面側に形成され第１の記録領域を再生する際にクランパが当接する第１のクランプ領域、第２面側に形成され第２の記録領域を再生する際にクランパが当接する第２のクランプ領域、第１のクランプ領域より内周側の第１面側に形成された円環状の第１のリブ、第２のクランプ領域より内周側の第２面側に形成された円環状の第２のリブ、および第１のリブと第１の記録領域の間に形成される第１の印字領域、を備える。
【発明の効果】
【０００７】
本開示におけるディスク状の情報記録媒体は、印字材料の成膜領域への進入による成膜領域の劣化を防止することができる。
【図面の簡単な説明】
【０００８】
【図１】実施の形態１における光ディスクの斜視図
【図２】実施の形態１における光ディスクの中心部の構造を示す断面図
【図３】実施の形態１における積層されてディスクカートリッジに収納される光ディスクの斜視図
【図４】実施の形態１における光ディスクが重なった状態を示す断面図
【図５】光ディスクの情報記録再生装置の概略構成図
【図６】実施の形態１における重なった光ディスクの分離方法の説明図
【図７】実施の形態１における中央円筒部の肉薄部に異物が混入したときの説明図
【図８】実施の形態１における非対称ディスクを積み重ねた場合の説明図
【図９】実施の形態２における光ディスクの中心部の構造を示す断面図
【図１０】実施の形態３における光ディスクの中心部の構造を示す断面図
【図１１】光ディスクの情報記録再生装置におけるクランパの概略構成図
【図１２】光ディスクの情報記録再生装置におけるターンテーブルの概略構成図
【図１３】実施の形態３における光ディスク、および同光ディスクを情報記録再生装置にセットしたときの説明図
【図１４】実施の形態３の変形例における光ディスクの中心部の構造を示す断面図
【図１５】実施の形態３の変形例における光ディスクの中心部の構造を示す断面図
【図１６】その他実施の形態における光ディスクの中心部の構造を示す断面図
【図１７】その他の実施の形態における光ディスクの斜視図
【図１８】従来の光ディスクの断面図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者は、当業者が本開示を十分に理解するために添付図面および以下の説明を提供するのであって、これらによって特許請求の範囲に記載の主題を限定することを意図するものではない。
【００１０】
（実施の形態１）
以下、図１〜７を用いて、実施の形態１を説明する。
［１−１．構成］
［１−１−１．光ディスク］
図１は、実施の形態１における光ディスク１０（ディスク状の情報記録媒体の一例）の斜視図であり、かつ１枚のディスクを表面から見た場合と裏面から見た場合を示す。ここで、光ディスクは、例えば、Ｂｌｕ−ｒａｙ（登録商標）Ｄｉｓｃ（ＢＤ）、ＤＶＤ、ＣＤ等である。光ディスク１０は、所定の厚みを有する基板１１（基板の一例）と基板１４（基板の一例）を貼り合せた構成を有する。光ディスク１０はさらに、貫通孔１２（円筒部の一部）を形成する表面側の中央円筒部１３および裏面側の中央円筒部１５を備える。基板１１（基板の一例、第１面の一例）および基板１４（基板の一例、第２面の一例）は、ポリカーボネート等の透明な樹脂で射出成型により形成される。また、図２に示すように、基板１１、基板１４には、情報を記録するための記録膜、カバー層を含む成膜領域１０７、成膜領域１０８（記録領域の一例）がそれぞれ形成されている。基板１１および基板１４は、成膜領域１０７および１０８が形成されている面が互いに外側になるように貼り合わせられる。
【００１１】
本実施の形態に係る光ディスク１０は、基板１１と基板１４とを貼り合せて形成されているため、光ディスク１０の反りを低減することができる。なお光ディスク１０の反りが問題とならない場合には、光ディスク１０は単板で構成されていても良い。基板１１と基板１４とを貼り合せて光ディスク１０を作成する場合、偏芯を小さくするために各々の中心孔貫が一致するように高精度にて貼り合せる必要がある。一方、光ディスク１０が単板で構成される場合には、上記課題は発生しないため光ディスク１０の作成は容易になる。
貫通孔１２は、後述するターンテーブル５６（図５）に光ディスク１０を装着するために基板１１および基板１４の中央付近に形成される。
【００１２】
図２は、実施の形態１における光ディスク１０の基板１１および基板１４の断面図である。基板１１の記録面側に形成された中央円筒部１３の外径側部分には、基板１１の厚みよりも薄くなった肉薄部２１（肉薄部の一例）が形成される。同様に基板１４の記録面側における中央円筒部１５の外径側部分には、基板１４の厚みよりも薄くなった肉薄部２７（肉薄部の一例）が形成される。肉薄部２１は、水平面２３（非傾斜面の一例）と、水平面２３に連続して形成される傾斜面２２（傾斜面の一例）と、水平面２３の内径側に連続して形成された垂直面２４を有する。同様に肉薄部２７は、水平面２５（非傾斜面の一例）と、水平面２５に連続して形成される傾斜面２６（傾斜面の一例）と、水平面２５の内径側に連続して形成された垂直面２８を有する。
【００１３】
傾斜面２２は、水平面２３に対して角度Ｅを有する。同様に傾斜面２６は、水平面２５に対して角度Ｆを有する。ここで角度Ｅと角度Ｆはほぼ等しい。
水平面２３と水平面２５は平行であり、基板１１は中央円筒部１３の外径側が切り欠いたように形成される。同様に基板１４は中央円筒部１５の外径側が切り欠いたように形成される。
なお、実施の形態１では、傾斜面２２の水平面２３に対する傾斜角度、および傾斜面２６の水平面２５に対する傾斜角度は、例えば、約３０度（２５度から３５度）の角度であればよい。
また、肉薄部２１における傾斜面２２の水平面２３に対する占有率は、小さくてもよいし大きくてもよく、あるいは水平面２３と同等の占有率としてもよい。肉薄部２７における傾斜面２６の水平面２３に対する占有率は、小さくてもよいし大きくてもよく、あるいは水平面２３と同等の占有率としてもよい。
【００１４】
［１−１−２．ディスクカートリッジ］
図３は、光ディスク１０が複数枚積み重なった状態で、ディスクカートリッジ３１（ディスクカートリッジの一例）のケース内に格納される状態を示す図である。ディスクカートリッジ３１は、複数の光ディスク１０を積層した状態で収納し、後述する情報記録再生装置５０（図５）に装着される。
図４は、２枚の光ディスク１０が積層された状態を示す。上側の光ディスク１０ａは基板１１ａおよび基板１４ａにより構成され、下側の光ディスク１０ｂは基板１１ｂおよび基板１４ｂにより構成される。実施の形態１の光ディスク１０は、複数枚を直接重ね合わせてディスクカートリッジ３１に収めることにより、大容量のカートリッジ型の記録媒体として使用される。なお、図４では、説明の容易のために２枚の光ディスク１０ａ、１０ｂを積み重ねている例を示しているが、３枚以上であっても良い。
【００１５】
［１−１−３．情報記録再生装置］
図５は、本実施の形態に係る情報記録再生装置５０（情報記録再生装置の一例）の構成を概略的に示す。情報記録再生装置５０は、ディスクカートリッジ３１に格納された光ディスク１０に対し情報の記録または再生を行う。情報記録再生装置５０は、光ピックアップ駆動装置５１と、光ピックアップ５２と、モータ５４と、ターンテーブル５６と、クランパ５５とを備える。情報記録再生装置５０はまた、光ディスク１０に対する情報の記録または再生を制御する電気回路５３（電気回路の一例）を備える。情報記録再生装置５０はさらに、ディスクカートリッジ３１から光ディスク１０を取り出す分離アーム５８と、分離アーム５８を駆動させるアーム駆動回路５９とを備える。
【００１６】
光ピックアップ５２は、光ピックアップ駆動装置５１により駆動され、光ディスク１０との位置に応じて、フォーカス信号やトラッキング信号、ギャップ信号、ＲＦ信号を電気回路５３へ送る。電気回路５３はこの信号に応じて、光ピックアップ５２へ、対物レンズアクチュエータを駆動させるための信号を送る。この信号によって、光ピックアップ５２は、光ディスク１０に対してフォーカス制御、トラッキング制御、ギャップ制御、チルト制御を行い、情報の読み出し、書き込みまたは消去を行う。
ディスクカートリッジ３１は、上述したように内部に複数の光ディスク１０を積層した状態で格納し、ユーザの操作により情報記録再生装置５０内にセットされる。分離アーム５８は、アーム駆動回路５９による制御によりディスクカートリッジ３１内の光ディスク１０を取り出し、ターンテーブル５６にセットするためのトレーに移動させる。取り出した光ディスク１０は、ターンテーブル５６に装着され上述の通り光ピックアップ５２による情報の読み書きが可能な状態となる。
【００１７】
なお本実施の形態の光ディスク１０は両面に記録が可能であり、光ディスク１０はターンテーブル５６にセットするためのトレーに移動させる前に、必要に応じてディスク反転機構により反転させても良い。または、ディスクカートリッジ内の全てのディスクの一方の面を記録した後に、手動にてディスクカートリッジ３１の向きを逆にしてもう一方の面を記録するようにしても良い。もしくは、ピックアップがディスクの両側に配置されていても良い。
【００１８】
［１−２．動作］
図６（ａ）〜図６（ｆ）は、複数枚重ねられた光ディスク１０ａ、１０ｂの分離方法の説明図である。複数枚重ねられた光ディスクは、上述の分離アーム５８を制御することにより分離可能である。図６（ａ）は積層された光ディスク１０ａ、１０ｂの中央の貫通孔１２ａ、１２ｂに分離アーム５８が挿入された状態を示す側面図である。図６（ｂ）は図６（ａ）の状態における分離アーム５８を上から見た平面図である。図６（ｃ）は積層された光ディスク１０ａ、１０ｂの分離直前の状態を示す側面図である。図６（ｄ）は図６（ｃ）の状態における分離アーム５８を上から見た平面図である。図６（ｅ）は積層された光ディスク１０ａ、１０ｂの分離直後の状態を示す側面図である。図６（ｆ）は図６（ｅ）の状態における分離アーム５８を上から見た平面図である。
【００１９】
図６（ａ）および図６（ｂ）において、まず分離アーム５８が下降し、上側の光ディスク１０ａの貫通孔１２ａを通過し、下側の光ディスク１０ｂの貫通孔１２ｂを通過する直前で停止する。
続いて図６（ｃ）および図６（ｄ）において、分離アーム５８から約９０度間隔で４本の爪６１が出現し、光ディスク１０ａの中央の下側の切り欠き（図２の肉薄部２７に相当）と光ディスク１０ｂの中央の上側の切り欠き（図２の肉薄部２１に相当）によって生じた空間に向かって延びていく。
【００２０】
続いて図６（ｅ）および図６（ｆ）において、分離アーム５８が爪６１を延ばしたまま上昇し、爪６１が上側の光ディスク１０ａの肉薄部下側の面に接触する。その後、爪６１が光ディスク１０ａを支えた状態で、分離アーム５８と光ディスク１０ａは一体となって上昇する。これにより光ディスク１０ａと光ディスク１０ｂとが分離される。
以上のように、光ディスク１０の基板中央の肉薄部を利用することで、直接重ねられた光ディスク１０を分離することが可能になる。ここで、正常に分離を行うためには肉薄部の空間が広いことが重要である。然るに、肉薄部に埃等の異物が溜まりやすくなり、この場合爪６１が上側の光ディスク１０ａを正しい位置で保持できず、分離アーム５８の動作が不安定になる、あるいは爪６１が破損する危険性が生じる。
【００２１】
以下、図７を用いて光ディスク１０の肉薄部と異物の関係について説明する。図７は、本実施の形態に係る光ディスク１０と、比較例による光ディスク７１とにおける基板分離状態と基板分離直前状態での異物の挙動の一例を示した図である。光ディスク１０は実施の形態１における光ディスクであり、基板中央部の肉薄部の水平面と斜面の角度が略３０度である。一方、光ディスク７１は基板中央の肉薄部の水平面と斜面の角度は略９０度である。
まず、基板分離状態について説明する。基板分離状態とは、基板が単独で存在している状態であり、例えば分離アーム５８による光ディスクの移動中や、光ディスクをターンテーブル５６に誘導するためのトレーに移動させ分離アーム５８が光ディスクをターンテーブル５６に置いた直後や、あるいはディスクカートリッジ３１から光ディスクを取り出した状態である。なお、重ねられた基板においても一番上の基板については基板分離状態として扱う。
【００２２】
まず、光ディスク１０では、７２に示すように上方から落下してきた異物は傾斜面で跳ね返って光ディスク１０から遠ざかる。あるいは、７３に示すように異物は傾斜面を転がりながら下降し、そのまま水平面を転がって光ディスク１０から遠ざかる。すなわち光ディスク１０は傾斜面を有することにより異物が付着しにくいという効果を有する。
一方、光ディスク７１では、７４に示すように傾斜面がないため、上方から落下してきた異物はそのまま水平面に留まりやすくなる。
次に、基板分離直前状態について説明する。基板分離直前状態とは、重ねられた複数枚の基板を分離するために分離アーム５８から爪６１が出現し、基板中央の肉薄部内へ伸びてきている状態である（上記図６（ｃ）、（ｄ）の状態）。
【００２３】
まず、光ディスク１０では、７５に示すように水平面上の異物は爪６１により横方向の力が加わるため、傾斜面を斜め上方に滑り上がっていく。
一方、光ディスク７１では、７６に示すように水平面上の異物は爪６１により水平面を奥側に移動するが、異物が奥に溜まったときにはそれ以上移動することができず、ついには爪６１の移動を止める、あるいは爪６１が移動する方向がずれる場合がある。
以上の様に、本実施の形態にかかる光ディスク１０は基板中央の肉薄部に傾斜面を有することにより異物が移動しやすくなり、結果として異物が詰まりにくくなるため、分離作業の支障にならないという効果を有する。
【００２４】
以上のように、光ディスク１０の基板中央の肉薄部に傾斜面を設けることにより、異物が肉薄部に付着、滞留するのを防止することができる。
なお本実施の形態の光ディスク１０は、２枚の基板を貼り合せることで表裏方向に対称となる両面記録可能な光ディスクである。ここで、２枚の基板を貼り合わせることで表裏方向に非対称となる両面記録可能な光ディスクの場合について図８を用いて説明する。
図８において、８１は基板を貼り合せた表裏方向に対称な光ディスク１０を積層した場合を示し、８２は基板を貼り合せた表裏方向に対称な光ディスク１０を積層した場合でかつ上から２枚目のディスクの裏表が逆になっている場合を示す。どちらの場合でも分離アーム５８の爪６１を伸ばすための空間が確保されている。一方、基板を貼り合せた表裏方向に非対称な光ディスク８１を積層した場合を示す８４においては、爪６１を伸ばすための空間を確保することができない。すなわちディスクカートリッジ３１に最初にディスクを収納する際の並びを間違えるとディスクを分離できないという課題が発生する。
【００２５】
本実施の形態の光ディスク１０は、表裏方向に対称となるように基板を貼り合せて形成されているため、ディスクカートリッジ３１に収納する際のディスクの並びに関わらずディスクを分離することが可能となる。
【００２６】
［１−３．効果等］
以上のように、本実施の形態に係る光ディスク１０は、表面において、基板１１の中央の貫通孔１２の外径側に形成された肉薄部２１を備え、肉薄部２１は水平面２３と傾斜面２２とを有する。よって、基板１１の内径部、つまり貫通孔１２の周辺に異物が付着したり滞留したりすることを防止することができるため、光ディスクの品質を損なうことを防止できる。
また、本実施の形態に係る光ディスク１０は、裏面においても、基板１４の中央の貫通孔１２の外径側に形成された肉薄部２７を備え、肉薄部２７は水平面２５と傾斜面２６とを有する。よって、基板１４の内径部、つまり貫通孔１２の周辺に異物が付着したり滞留したりすることを防止することができるため、光ディスクの品質を損なうことを防止できる。
【００２７】
また、本実施の形態に係るディスクカートリッジ３１は、積層された光ディスク１０を複数格納し、各光ディスクは基板中央の貫通孔の外径側に形成された肉薄部を備え、肉薄部は、水平面と傾斜面とを有する。よって、ディスクカートリッジ３１の中で光ディスク１０が重なった状態で使用されても、重ねられた光ディスク１０を正しく分離することが可能になるとともに、光ディスクの品質を損なうことを防止できる。
さらに、光ディスク１０は、基板を貼り合せることで表裏方向に対称であるため、ディスクカートリッジ３１に収納する際のディスクの並びに関わらずディスクを確実に分離することが可能となる。
【００２８】
（実施の形態２）
［２−１．構成］
図９は、実施の形態２に係る光ディスク９００（ディスク状の情報記録媒体の一例）の断面図である。光ディスク９００は、基板９１と基板９５とが貼り合わせられた構成であり、基板９１、基板９５の中央に肉薄部９２１、９２７をそれぞれ形成する。本実施の形態に係る光ディスク９００は、基板９１において三つの曲率部９２、９３、９４と、基板９５において三つの曲率部９９２、９９３、９９４を有する点で実施の形態１の光ディスク１０と異なり、その他の構成は光ディスク１０と同様である。
【００２９】
曲率部９２は、貫通孔９１４の外縁、つまり中央円筒部の外径９０と水平面９７との間に形成される。曲率部９３は、水平面９７と傾斜面９８との間に形成される。曲率部９４は、傾斜面９８と基板９１の記録面に相当する水平面９９との間に形成される。
同様に、曲率部９９２は、貫通孔９１４の外縁、つまり中央円筒部の外径９９０と水平面９９７との間に形成される。曲率部９９３は、水平面９９７と傾斜面９９８との間に形成される。曲率部９９４は、傾斜面９９８と基板９５の記録面に相当する水平面９１３との間に形成される。
【００３０】
［２−２．効果等］
以上のように、本実施の形態に係る光ディスク９００は、上記実施の形態１の効果に加え、基板９１の中央に形成された肉薄部が曲率部９２、９３、９４を有することにより、例えば図７に示す基板分離状態と基板分離直前状態において異物を一層効果的に除去しやすくなる。具体的には、曲率部９２により、水平面９７の内径側に付着した異物は水平面９７から貫通孔９１４に滑り落ちやすくなる。また、曲率部９３により、異物は傾斜面９８を転がりながら下降し速度を大きく落とすことなく滑らかに水平面９７に移動した後、水平面９７を転がって貫通孔９１４より落下して基板９１から離脱することができる。さらに、曲率部９４により、分離アーム５８の爪６１（図６）の挿入時、異物が傾斜面９８を斜め上方に滑り上がることにより、滞留した異物が爪６１の分離動作（図６）の支障とならないようにすることができる。
【００３１】
また、ディスクの向きが表裏逆の場合には、曲率部９９２により、水平面９９７の内径側に付着した異物は水平面９９７から貫通孔９１４に滑り落ちやすくなる。また、曲率部９９３により、異物は傾斜面９９８を転がりながら下降し速度を大きく落とすことなく滑らかに水平面９９７に移動した後、水平面９９７を転がって貫通孔９１４より落下して基板９５から離脱することができる。さらに、曲率部９９４により、分離アーム５８の爪６１（図６）の挿入時、異物が傾斜面９９８を斜め上方に滑り上がることにより、滞留した異物が爪６１の分離動作（図６）の支障とならないようにすることができる。
【００３２】
［２−３．変形例］
なお、上述の曲率部９２、９３、９４、９９２、９９３、９９４は全て形成される必要はなく、そのうちの一つまたは二つの曲率部のみを形成するようにしてもよい。
【００３３】
（実施の形態３）
［３−１．構成］
［３−１−１．光ディスク］
図１０は、実施の形態３に係る光ディスク１００（ディスク状の情報記録媒体の一例）の断面図である。実施の形態３に係る光ディスク１００は、両面に円環状のリブ１０３、リブ１０４を備える点において、実施の形態１に係る光ディスク１０、実施の形態２に係る光ディスク９００と異なる。また光ディスク１００は、表面側にクランプ領域１０５と、記録膜およびカバー層を含む成膜領域１０７とを形成し、裏面側にクランプ領域１０６と、記録膜、カバー層を含む成膜領域１０８が形成されている。
【００３４】
光ディスク１００は、リブ１０３、リブ１０４を有することにより、図３のように複数積層したときに、二つの成膜領域の衝突によってデータを記録、再生する領域が損傷することを防ぐことができる。また図６にて説明した積層された光ディスクの場合、二つの成膜領域が接触により貼りついてしまうことによって分離ができなくなることを防止することができる。さらに、リブ１０３、リブ１０４によって重ねられたディスク間の隙間を広げることができるため、分離アーム５８の爪６１をディスク間に入り易くすることができ、分離作業を容易にすることができる。
さらに光ディスク１００が分離状態でトレー等に置かれる場合、リブ１０３、リブ１０４がトレーの面に接触する。このため、データが記録される成膜領域１０７、成膜領域１０８がトレーの面に接触して傷がつくことや、トレーの面の埃がデータを記録、再生する領域に付着することを防止することができる。
【００３５】
［３−１−２．クランプ領域の位置］
次に、本実施の形態に係る光ディスク１００において、クランプ領域１０５と、成膜領域１０７との位置関係、ならびにクランプ領域１０６と成膜領域１０８との位置関係について説明する。図１０に示すように、クランプ領域１０５は成膜領域１０７と重ならないように形成される。同様にクランプ領域１０６は成膜領域１０８と重ならないように形成される。
【００３６】
図１１は、情報記録再生装置５０のクランパ５５（図５）の概略的な構成を示す。図１１（ａ）はクランパ５５の平面図であり、図１１（ｂ）はクランパ５５の断面図である。クランパ５５は、突起部１１１と金属部１１２とを有する。
図１２は、情報記録再生装置５０のターンテーブル５６（図５）の概略的な構成を示す。ターンテーブル５６は、光ディスクの中央円筒部を保持するための中央突出部１２１と、同中央突出部１２１の上部に設けられたマグネット部１２２とを有する。
情報の記録・再生動作時には、光ディスク１００は、ターンテーブル５６上に移動させた後、中央の貫通孔をターンテーブル５６の中央突出部１２１に挿通させて、ターンテーブル５６上に光ディスク１００を載置する。そして、光ディスク１００は上方からのクランパ５５とターンテーブル５６との間で挟持される。このとき、クランパ５５の金属部１１２とターンテーブル５６のマグネット部１２２とが接着することにより光ディスク１００の位置が固定される。モータ５４（図５）によりターンテーブル５６を回転させつつ、光ディスク１００に対する情報の記録・再生が行われる。またこのとき、クランパ５５の突起部１１１は、光ディスク１００のクランプ領域に当接されている。
【００３７】
図１３は、本実施の形態に係る光ディスク１００の例を示す。図１３（ａ）は、クランプ領域１０５と成膜領域１０７が重ならないように形成された光ディスク１００の平面図である。図１３（ｂ）は、光ディスク１００がターンテーブル５６上でクランパ５５により把持されたときの状態を示す断面図である。
図１３（ｂ）に示すように、光ディスク１００の記録・再生動作時には、クランパ５５の突起部１１１、リブ１０４に負荷がかかる。よって、突起部１１１、リブ１０４の高さを高く設定するほど光ディスク１００の内周部とクランパ５５の間の空間、および光ディスク１００の内周部とターンテーブル５６の間の空間が広がるため、空気抵抗の影響を受け、消費電力が大きくなる。
【００３８】
従ってリブ１０３、１０４の高さは上記で説明した記録、再生領域の保護、および積層したディスクの分離の容易さという効果を実現しうる範囲においてできるだけ低く設定することが望ましく、好ましくは１５０ミクロン以下であることが望ましい。
突起部１１１が成膜領域１０７と接すると、突起部１１１にかかる圧力によって成膜領域１０７にクラック等の欠陥が生じる可能性がある。また、光ディスクを繰り返し装着することにより、前記欠陥が広がり、最終的に光ディスクの記録、再生をすることができなくなることがある。本実施の形態に係る光ディスク１００のようにクランプ領域１０５と成膜領域１０７とが重ならないように形成されていることにより、突起部１１１による成膜領域１０７の破損を防止することができる。
【００３９】
なお、成膜領域１０７は少なくとも記録領域と記録領域よりも表面側に形成されるカバー領域とから構成される。カバー領域がクランパ５５との接触により劣化せず、かつ記録領域がカバー領域よりも外径側であって外周側に形成されているのであれば、クランプ領域と記録領域が接していない限りにおいて、クランプ領域と成膜領域が接していても良い。
本実施の形態に係る光ディスク１００においては、リブ１０３、１０４はクランプ領域１０５、１０６の内径側に形成されている。これにより上記で説明した、記録、再生領域の保護、および積層したディスクの分離の容易さという効果を実現しつつ、リブをクランプ領域よりも外径側に形成する場合に比べて記録領域を大きくすることができる。
【００４０】
［３−２．変形例］
［３−２−１．変形例１］
図１４は、本実施の形態に係る光ディスク１００の変形例である。光ディスク１５０は光ディスク１００とは異なり、さらに印字領域１５１、１５２を有する。印字領域１５１とクランプ領域１０５は分離されている。同様に印字領域１５２とクランプ領域１０６は分離されている。印字領域とクランプ領域が重ならないように配置されていることにより、クランパの突起部による印字領域１５１、１５２の破損、および印字領域１５１、１５２をクランプすることによる発塵を防止することができる。さらに、印字領域１５１、１５２上の印字部の凹凸部にクランパの突起部が接触することによりクランプ時に光ディスク１５０がガタつくことを防止できる。
【００４１】
なお、印字は、例えば、顔料を含んだアクリル系樹脂ペーストによって行い、ＵＶ照射によって上記印字した部分を硬化する。また印字部分の下地については、例えばペーストを用いた一般的な方法によって行う。本実施の形態では、ペーストは、ウレタン樹脂を２５〜３０重量％、およびアクリル系樹脂を７０〜７５重量％含むものを使用する。このペーストをポリエステルのスクリーン版を用いた印刷方法によって塗布し、その後ＵＶ照射によって、塗布ペーストを硬化する。ウレタン樹脂は、粒径分布の平均値がおよそ３．５μｍ〜５．０μｍである場合に、下地部分はわずかに凹凸形状となる。このため、ディスクを重ね合わせた場合に例えばリブが磨耗した場合、もしくはリブが設けられていない場合でも、ディスクが密着して分離できなくなることを防止することができる。
【００４２】
なお下地および印字の形成方法については上記とは異なる方法で行っても良い。
印字領域１５１と１５２には、ディスクの種類や記録容量を識別することを目的として同じ内容が印字されていても良いし、さらにディスクの面を区別するための情報が印字されていても良い。また印字領域の色が異なる等、識別が可能であれば文字や数字以外の印字がされていても良い。
またディスクの面を区別するために、印字領域への印字の代わりにレーザマーカ等により基板に英数字等の情報が刻印されていても良い。さらに刻印は片側の面だけであっても良い。
【００４３】
なお、両面に記録可能な光ディスク１５０は、両面の識別が可能になるとともにクランプ時に光ディスク１５０がガタつく等の影響が発生しないのであれば、印字領域はディスクの片側のみに形成されていても良い。
さらに、本実施の形態に係る光ディスク１５０においては、印字領域１５１と成膜領域１０７とは分離されている。同様に印字領域１５２と成膜領域１０８は分離されている。印字領域と成膜領域が重ならないように配置されていることにより、印字材料の成膜領域への進入による成膜領域の劣化を防止することができる。
【００４４】
本実施の形態の光ディスク１５０においては、印字領域１５１は成膜領域１０７と異なる位置に配置されているが、印字領域１５１における識別への影響、および成膜領域１０７における記録への影響がないのであれば、印字領域１５１と成膜領域１０７の一部が重なっていても良い。同様に印字領域１５２は成膜領域１０８と異なる位置に配置されているが、印字領域１５２における識別への影響、および成膜領域１０８における記録への影響がないのであれば、印字領域１５２と成膜領域１０８の一部が重なっていても良い。また、成膜領域が複数の膜で構成される場合に、一部の膜だけが重なっていても良い。
【００４５】
［３−２−２．変形例２］
両面に記録可能な光ディスク１５０の印字領域１５１、１５２の位置は、基板１０１、１０２の外側すなわち記録面側に限定されず、内側すなわち基板を貼り合わせた側であってもよい。
図１５（ａ）は、印字領域１５１、１５２が基板１０１、１０２の内側、つまり貼り合わせた側に形成された光ディスク１５０の例を示す。図１５（ｂ）は、印字領域１５１、１５２が基板１０１、１０２の貼り合わせた側に形成されかつその半径位置がクランプ領域１０５、１０６と重なっている例を示す。
【００４６】
上述の通り、基板１０１、１０２はポリカーボネート等の透明な樹脂製であるため、印字領域１５１、１５２上の印字部は基板内側に形成されていても外側から視認できる。
図１５（ａ）および図１５（ｂ）のいずれの例においても、クランパが内側の印字領域１５１、１５２と接触することはない。よって、クランパの突起部による印字領域１５１、１５２の破損、および印字領域１５１、１５２をクランプすることによる発塵を防止することができる。さらに、印字領域１５１、１５２上の印字部の凹凸部にクランパの突起部が接触することによりクランプ時に光ディスク１５０がガタつくことも防止できる。さらに、図１５（ｂ）に示すように、印字領域１５１、１５２はクランプ領域１０５と半径位置が重なっても支障がないため、印字領域１５１、１５２を広く形成することが可能となる。
【００４７】
図１５（ａ）および図１５（ｂ）に示す印字領域１５１、１５２は、両面の識別が可能となる限りにおいて、ディスクの片側のみに形成されていても良い。また、図１５（ａ）および図１５（ｂ）に示す印字領域１５１、１５２は、半径位置が重なっているが、重ならないように、或いはずらして形成されていてもよい。
【００４８】
［３−３．効果等］
以上のように、本実施の形態に係る光ディスク１５０は、上記実施の形態１および２の効果に加え、リブ１０３、１０４を有することにより、複数の光ディスク１５０を積層したときに、上側の光ディスク１００の成膜領域と下側の光ディスク１５０の成膜領域の衝突によってデータを記録、再生する領域が損傷することを防ぐことができる。
また、積層された光ディスク１５０を分離する際に、二つの成膜領域が接触により貼りついてしまうことを防止することができる。さらに、リブ１０３、１０４により、重ねられた光ディスク１５０間の隙間を広げることができるため、分離アームの爪をディスク間に入り易くすることができ、分離作業を容易にすることができる。
さらに、光ディスク１５０が分離状態でトレー等に置かれる場合において、リブ１０３、１０４がトレーの底面に接触する。よって、データが記録される成膜領域がトレーの底面に接触して傷がつくことや、トレーの底面の埃がデータを記録、再生する領域に付着することを防止することができる。
【００４９】
また、光ディスク１５０においてクランプ領域１０５、１０６と成膜領域１０７，１０８とが重ならないように形成されていることにより、クランパの突起部による成膜領域１０７，１０８の破損を防止することができる。
また、光ディスク１５０においてクランプ領域１０５、１０６と印字領域１５１、１５２が重ならないように形成されていることにより、クランパの突起部による印字領域１５１、１５２の破損、および印字領域１５１、１５２をクランプすることによる発塵を防止することができる。さらに、印字領域１５１、１５２上の印字部の凹凸部にクランパの突起部が接触することによりクランプ時に光ディスク１５０がガタつくことを防止できる。
さらに、両面に記録可能な光ディスク１５０において印字領域１５１、１５２上に印字部を設けることにより、光ディスク１５０の裏表の識別が容易になる。
【００５０】
（その他実施の形態）
（１）
上記実施の形態にかかる光ディスクにおける基板中央に形成された肉薄部は、上記の形態に限定されない。例えば、次のような形態であっても上記実施の形態と同様の効果が得られる。
【００５１】
図１６の断面図に示すにように、両面に記録可能な光ディスク２００において、肉薄部１４１１は、所定の角度で傾斜する傾斜面１４９（傾斜面の一例）と、傾斜面１４９の内径側に連続して形成され、貫通孔１４０の外径に沿って形成された垂直面１４１３（非傾斜面の一例）とから構成されてもよい。同様に、肉薄部１４１２は、所定の角度で傾斜する傾斜面１４１０（傾斜面の一例）と、傾斜面１４１０の内径側に連続して形成され、貫通孔１４０の外径に沿って形成された垂直面１４１４（非傾斜面の一例）とから構成されてもよい。
【００５２】
（２）
両面に記録可能な光ディスクは、上記実施の形態以外にも光ディスクの裏表の識別を可能とするための構成を備えてもよい。例えば、表面の基板と裏面の基板のそれぞれに形成されている溝状のトラックの形状を部分的に変更したり、凹凸ピットを形成することにより、表面と裏面を識別するための情報を記録しても良い。
図１７は、光ディスク１７０（ディスク状の情報記録媒体の一例）の斜視図であり、かつ１枚のディスクを表面から見た場合と裏面から見た場合を示す。光ディスク１７０は、所定の厚みを有する基板１７１と基板１７４を貼り合せた構成になっており、貫通孔１７２を形成する表面側の中央円筒部１７３および裏面側の中央円筒部１７５とを備える。基板１７１、基板１７４は、ポリカーボネート等の透明な樹脂で射出成型により形成される。
【００５３】
また基板１７１、基板１７４にはともに情報を記録するための記録膜が形成され、記録膜が形成されている面が互いに外側になるように貼り合わせられる。１７６は、基板１７１内に形成された溝状のトラックもしくは凹凸ピットを示し、トラック形状の部分的な変更や、凹凸ピットのパターンにより、表面と裏面を識別するための情報が記録されている。同様に１７７は、基板１７４内に形成された溝状のトラックもしくは凹凸ピットであり、トラック形状の部分的な変更や、凹凸ピットのパターンにより、表面と裏面を識別するための情報が記録されている。
【００５４】
ディスク内の情報は、上記のような予め埋め込まれている再生専用の情報と、レーザ光を照射することによって後から記録される情報の２つの情報により構成されている。一般的に再生専用の情報は、記録される情報よりも先に再生される。よって、本実施の形態の様に、予め基板に表裏を区別するための情報が記録されていることにより、例えば両方の面に情報が記録されていてかつ最初に再生する面が決まっているときに、正しい面を再生しているかどうかを速やかに認識することができる。
【００５５】
（３）
また、上記実施の形態においては、両面記録可能な光ディスクは、二つの基板を貼り合わせて構成されているが、両面に記録膜を形成した単一の基板からなり表裏方向に対称に肉薄部を形成したものであってもよい。さらには、印字領域１５１、１５２を内周側に配置することにより、成膜領域１０７、１０８も内周側に配置することが可能になり、記録領域を広くとることが可能になる。
【００５６】
（４）
上記実施の形態においては、ディスク状の情報記録媒体の例として光ディスクを例に挙げたが、これに限定されない。例えば、光磁気ディスクやその他磁気ディスク等、ディスク状の情報記録媒体であれば適用可能である。
（５）
以上のように、本開示における技術の例示として、実施の形態を説明した。そのために、添付図面および詳細な説明を提供した。
【００５７】
従って、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
また、上述の実施の形態は、本開示における技術を例示するためのものであるから、特許請求の範囲またはその均等の範囲において種々の変更、置き換え、付加、省略などを行うことができる。
【産業上の利用可能性】
【００５８】
本開示は、ディスク状の情報記録媒体およびその情報記録再生装置として適用可能である。
【符号の説明】
【００５９】
１０、１００、２００    光ディスク
１０ａ、１０ｂ  光ディスク
１１、１４      基板
１１ａ、１４ａ  基板
１１ｂ、１４ｂ  基板
１２            貫通孔
１３、１５      中央円筒部
２１、２７、９２１、９２７    肉薄部
３１            ディスクカートリッジ
５０            情報記録再生装置
５１            光ピックアップ駆動装置
５２            光ピックアップ
５３            電気回路
５４            モータ
５５            クランパ
５６            ターンテーブル
５８            分離アーム
５９            アーム駆動回路
７１            光ディスク
９１、９５      基板
９１４          貫通孔
１０１、１０２  基板
１０３、１０４  リブ
１０５、１０６  クランプ領域
１０７、１０８  成膜領域
１４０          貫通孔
１５０          光ディスク
１５１、１５２  印字領域
１７０          光ディスク
１７１、１７４  基板
１７２          貫通孔
１７３、１７５  中央円筒部
９００            光ディスク
【図１】
2015158965.tif 000003
【図２】
2015158965.tif 000004
【図３】
2015158965.tif 000005
【図４】
2015158965.tif 000006
【図５】
2015158965.tif 000007
【図６】
2015158965.tif 000008
【図７】
2015158965.tif 000009
【図８】
2015158965.tif 000010
【図９】
2015158965.tif 000011
【図１０】
2015158965.tif 000012
【図１１】
2015158965.tif 000013
【図１２】
2015158965.tif 000014
【図１３】
2015158965.tif 000015
【図１４】
2015158965.tif 000016
【図１５】
2015158965.tif 000017
【図１６】
2015158965.tif 000018
【図１７】
2015158965.tif 000019
【図１８】
2015158965.tif 000020